(57)【特許請求の範囲】
【請求項１】
放送波を受信して放送内容を表示する放送受信端末であって、
前記放送波は、放送内容を示すストリーム情報と、前記放送内容の概要を示す概要情報とを含み、
前記放送受信端末は、
前記放送波を受信する受信手段と、
前記放送内容を表示するための表示手段と、
ユーザの操作に基づいて、前記放送内容を表示すべきか否かを判別する判別手段と、
前記判別手段で放送内容を表示すべきと判別されたときには、前記受信手段で受信された放送波のストリーム情報に対して画像処理を行って、放送内容を前記表示手段に表示させる表示制御手段と、
前記判別手段で放送内容を表示すべきでないと判別されたときには、前記放送内容と同期するように、前記受信手段で受信された放送波によって伝送される概要情報の示す概要を提示する概要提示手段と
を備えることを特徴とする放送受信端末。
【請求項２】
前記放送受信端末は、さらに、
ユーザの操作に応じて所定の機能を起動及び終了させる機能処理手段を備え、
前記判別手段は、前記所定の機能が起動しているときには、前記放送内容を表示すべきでないと判別し、前記所定の機能が終了しているときには、前記放送内容を表示すべきと判別する
ことを特徴とする請求項１記載の放送受信端末。
【請求項３】
前記概要提示手段は、前記表示手段に概要を文字列で表示させる
ことを特徴とする請求項２記載の放送受信端末。
【請求項４】
前記表示手段は、第１の表示領域と、前記第１の表示領域よりも狭い第２の表示領域とを有し、
前記表示制御手段は、前記第１の表示領域に放送内容を表示させ、
前記概要提示手段は、前記第２の表示領域に概要を表示させる
ことを特徴とする請求項３記載の放送受信端末。
【請求項５】
前記概要提示手段は、前記概要情報により示される概要を音声でユーザに通知する
ことを特徴とする請求項２記載の放送受信端末。
【請求項６】
前記概要情報は、前記概要が提示されるべき時刻を示す時刻情報を含み、
前記概要提示手段は、現在時刻が前記時刻情報の示す時刻と一致するときに前記概要を提示する
ことを特徴とする請求項２記載の放送受信端末。
【請求項７】
前記概要提示手段は、
前記判別手段で放送内容を表示すべきでないと判別されたときには、さらに、前記受信手段で受信された放送波のストリーム情報に対して画像処理を行い、前記表示制御手段によって表示される放送内容よりも描画精度を落とした動画像を、前記表示手段に表示させる
ことを特徴とする請求項２記載の放送受信端末。
【請求項８】
前記放送波は、前記判別手段による判別を制限する制限情報を含み、
前記判別手段は、前記受信手段によって前記制限情報が受信されたときは、ユーザの操作に関わらず、既に判別された結果を維持する
ことを特徴とする請求項２記載の放送受信端末。
【請求項９】
前記放送受信端末は、さらに、
ユーザの操作に応じて放送内容の表示及び非表示の指示を受け付ける受付手段を備え、
前記判別手段は、前記受付手段で表示の指示が受け付けられたときには、前記放送内容を表示すべきと判別し、前記受付手段で非表示の指示が受け付けられたときには、前記放送内容を表示すべきでないと判別する
ことを特徴とする請求項１記載の放送受信端末。
【請求項１０】
前記放送受信端末は、ユーザの操作に応じて第１及び第２の形状に変形自在に構成されており、
前記判別手段は、前記放送受信端末が第１の形状であるときには、前記放送内容を表示すべきと判別し、前記放送受信端末が第２の形状であるときには、前記放送内容を表示すべきでないと判別する
ことを特徴とする請求項１記載の放送受信端末。
【請求項１１】
前記表示手段は、前記放送受信端末が第１の状態であるときに表面に現れる第１の表示手段と、前記放送受信端末が第２の状態であるときに表面に現れる第２の表示手段とを備え、
前記表示制御手段は、前記第１の表示手段に放送内容を表示させ、
前記概要提示手段は、前記第２の表示手段に概要を表示させる
ことを特徴とする請求項１０記載の放送受信端末。
【請求項１２】
放送波を受信して放送内容を表示する放送受信方法であって、
前記放送波は、放送内容を示すストリーム情報と、前記放送内容の概要を示す概要情報とを含み、
前記放送受信方法は、
前記放送波を受信する受信ステップと、
ユーザの操作に基づいて、前記放送内容を表示すべきか否かを判別する判別ステップと、
前記判別ステップで放送内容を表示すべきと判別されたときには、前記受信ステップで受信された放送波のストリーム情報に対して画像処理を行って、放送内容を表示手段に表示させる表示制御ステップと、
前記判別ステップで放送内容を表示すべきでないと判別されたときには、前記放送内容と同期するように、前記受信ステップで受信された概要情報の示す概要を提示する概要提示ステップと
を含むことを特徴とする放送受信方法。
【請求項１３】
放送波を受信して放送内容を表示するためのプログラムであって、
前記放送波は、放送内容を示すストリーム情報と、前記放送内容の概要を示す概要情報とを含み、
前記プログラムは、
前記放送波を受信する受信ステップと、
ユーザの操作に基づいて、前記放送内容を表示すべきか否かを判別する判別ステップと、
前記判別ステップで放送内容を表示すべきと判別されたときには、前記受信ステップで受信された放送波のストリーム情報に対して画像処理を行って、放送内容を表示手段に表示させる表示制御ステップと、
前記判別ステップで放送内容を表示すべきでないと判別されたときには、前記放送内容と同期するように、前記受信ステップで受信された概要情報の示す概要を提示する概要提示ステップと
をコンピュータに実行させることを特徴とするプログラム。
【発明の詳細な説明】
【技術分野】
【０００１】
本発明は、放送波を受信して映像等を表示する放送受信端末、及びその放送波を送出する放送装置に関する。
【背景技術】
【０００２】
近年のデジタル化の流れに従い、ＢＳ（Broadcasting Satellite）放送及びＣＳ（Communication Satellite）放送に続き、地上波放送においても、デジタル放送が実施されようとしている。地上波デジタル放送では、ＢＳ放送及びＣＳ放送との大きな違いとして、同一周波数において、異なる変調方式を適用することが可能となるＯＦＤＭ（Orthogonal Frequency Division Multiplexing）方式を採用していることが挙げられる。地上波デジタル放送がＯＦＤＭ方式を採用することにより、異なる変調方式、すなわち、データ伝送レートは高いが、安定した電波状態が要求される変調方式と、データ伝送レートは低いが、比較的不安定な電波状態においても安定した受信が可能となる変調方式とを混在させることが可能となる。このため、地上波デジタル放送では、前者の変調方式を用いた据え置き型の放送受信端末向けの放送と、後者の変調方式を用いた携帯型の放送受信端末向けの放送を同時に実施することが想定されている。
【０００３】
ここで、放送受信端末は、ユーザがデジタル放送を視聴するために、デジタル放送波として受信した映像データのデコードを行うビデオデコーダや、映像を表示するディスプレイに、常に電力を供給しなければならない。即ち、デジタル放送を視聴するためには、多くの電力を消費することになり、特に限られたバッテリーで動作する携帯型の放送受信端末において、省電力化を実現することは重要である。
【０００４】
そこで、従来の技術として、デジタル放送波に制御プログラムを多重化して送信する放送装置と、そのデジタル放送波を受信してデジタル放送波に多重化された制御プログラムに従って、ビデオデコーダやディスプレイへの電力供給を停止する放送受信端末とが提案されている（例えば、特許文献１参照。）。
【特許文献１】特開２００３−７８８４０号公報
【発明の開示】
【発明が解決しようとする課題】
【０００５】
しかしながら、上記特許文献１の放送受信端末及び放送装置では、十分に省電力化を図ることができないという問題がある。
【０００６】
即ち、上記特許文献１の放送受信端末は、デジタル放送波により伝送される制御プログラムのみに従って電力供給の制御を行っている。その結果、ユーザはデジタル放送の番組の一場面のみを見たいにも関わらず、制御プログラムにしたがってディスプレイに映し出される番組の全てを見ていなければその一場面を見逃すこととなる。これにより、放送受信端末では番組を映し出すためのデコードなどの画像処理を長時間に渡って行う必要があり、省電力化を十分に図ることができないのである。言い換えれば、上記特許文献１の放送受信端末では、デジタル放送を視聴するユーザは、その放送受信端末に対して省電力状態への遷移を選択することができず、電力供給の制御のタイミングは、ユーザにとって必ずしも適切なタイミングとはいえない。
【０００７】
また、デジタル放送波の受信機能を有する携帯電話機やＰＤＡ（Personal Digital Assistance）などの放送受信端末では、機能の多様化及び高度化が進んでいる。携帯電話機においては、基本となる通話機能だけでなく、メール機能や、ＪＡＶＡ（登録商標）に代表されるアプリケーションプログラムの実行機能、カメラ機能などが標準で実装されている。ユーザは、このような携帯電話機などの多機能な放送受信端末を、デジタル放送の視聴のみを目的として所持、携帯しているわけではなく、多くの時間、デジタル放送波の受信機能以外の別の機能を利用している可能性が高い。そのため、ユーザはメールなどの他の機能を使用している間に、見たい番組を、もしくは、番組中の見せ場を見逃してしまう可能性がある。
【０００８】
そこで、本発明は、かかる問題に鑑みてなされたものであって、ユーザが自らの好む放送内容を見逃してしまうことなく省電力化の向上を図った放送受信端末及び放送装置を提供することを目的とする。
【課題を解決するための手段】
【０００９】
上記目的を達成するために、本発明に係る放送受信端末は、放送波を受信して放送内容を表示する放送受信端末であって、前記放送波は、放送内容を示すストリーム情報と、前記放送内容の概要を示す概要情報とを含み、前記放送受信端末は、前記放送波を受信する受信手段と、前記放送内容を表示するための表示手段と、ユーザの操作に基づいて、前記放送内容を表示すべきか否かを判別する判別手段と、前記判別手段で放送内容を表示すべきと判別されたときには、前記受信手段で受信された放送波のストリーム情報に対して画像処理を行って、放送内容を前記表示手段に表示させる表示制御手段と、前記判別手段で放送内容を表示すべきでないと判別されたときには、前記放送内容と同期するように、前記受信手段で受信された放送波によって伝送される概要情報の示す概要を提示する概要提示手段とを備えることを特徴とする。例えば、前記概要提示手段は、前記表示手段に概要を文字列で表示させる。
【００１０】
例えば番組などの放送内容を示すストリームに対してデコードなどの画像処理を行うには、多大な電力を消費してしまう。
【００１１】
したがって本発明に係る放送受信端末では、番組の表示と、その番組の概要の表示とがユーザの操作に基づいて切り換えられるため、例えばユーザにとって関心のない場面が放送されているときには、ユーザは放送受信端末を操作して、概要だけを表示させておけば、表示制御手段による画像処理が行われず、省電力化を図ることができる。また、番組が表示されていなくても、その番組に同期した概要が表示されているので、ユーザは、その概要を見ることにより、ユーザにとって関心のある場面が放送されているか否かを知ることができる。そして、ユーザは、放送受信端末を操作すれば、その関心のある場面を表示手段に表示させることができ、関心のある場面を見逃してしまうのを防ぐことができる。即ち、ユーザが自らの好む放送内容を見逃してしまうことなく省電力化の向上を図ることができる。
【００１２】
ここで、前記放送受信端末は、さらに、ユーザの操作に応じて所定の機能を起動及び終了させる機能処理手段を備え、前記判別手段は、前記所定の機能が起動しているときには、前記放送内容を表示すべきでないと判別し、前記所定の機能が終了しているときには、前記放送内容を表示すべきと判別することを特徴としても良い。
【００１３】
例えば電子メールの機能が所定の機能として起動しているときには、番組などの放送内容が表示されずに概要が表示され、電子メールの機能が終了しているときには番組が表示されるため、ユーザは、番組の関心のある場面を見逃すことなく電子メールを利用することができ、ユーザの使い勝手を向上しながら省電力化を図ることができる。
【００１４】
また、前記概要提示手段は、前記概要情報により示される概要を音声でユーザに通知することを特徴としても良い。
【００１５】
これにより、番組などの放送内容の概要が音声で通知されることにより、その概要が文字列で表示される場合に比べて、ユーザは放送受信端末に注目しておく必要がなく、ユーザの使い勝手をさらに向上することができる。
【００１６】
また、前記概要情報は、前記概要が提示されるべき時刻を示す時刻情報を含み、前記概要提示手段は、現在時刻が前記時刻情報の示す時刻と一致するときに前記概要を提示することを特徴としても良い。
【００１７】
これにより、現在時刻が時刻情報の示す時刻と一致するときに概要が提示されるため、放送内容に対して容易に同期させることができる。
【００１８】
また、前記概要提示手段は、前記判別手段で放送内容を表示すべきでないと判別されたときには、さらに、前記受信手段で受信された放送波のストリーム情報に対して画像処理を行い、前記表示制御手段によって表示される放送内容よりも描画精度を落とした動画像を、前記表示手段に表示させることを特徴としても良い。
【００１９】
これにより、動画像が表示されるため、ユーザはどのような番組が放送されているかを容易に知ることができる。また、ここで表示される動画像は、表示制御手段によって表示される放送内容よりも描画精度が劣るため、その動画像を得るために行われる画像処理に要する電力は、表示制御手段により行われる画像処理に要する電力よりも少なく、省電力化を図ることができる。
【００２０】
また、前記放送受信端末は、ユーザの操作に応じて第１及び第２の形状に変形自在に構成されており、前記判別手段は、前記放送受信端末が第１の形状であるときには、前記放送内容を表示すべきと判別し、前記放送受信端末が第２の形状であるときには、前記放送内容を表示すべきでないと判別することを特徴としても良い。例えば、前記表示手段は、前記放送受信端末が第１の状態であるときに表面に現れる第１の表示手段と、前記放送受信端末が第２の状態であるときに表面に現れる第２の表示手段とを備え、前記表示制御手段は、前記第１の表示手段に放送内容を表示させ、前記概要提示手段は、前記第２の表示手段に概要を表示させる。
【００２１】
これにより、放送受信端末が例えば展開された第１の形状であるときには、番組などの放送内容が表示され、放送受信端末が例えば折畳まれた第２の形状であるときには、番組の概要がその番組に同期して表示されるため、ユーザはその放送受信端末を変形させることにより、番組の表示と、概要の表示とを自在に切り換えることができる。
【００２２】
ここで、本発明に係る放送装置は、放送波を送出する放送装置であって、前記放送波の放送内容の概要を示す概要情報を生成する概要情報生成手段と、前記概要情報の示す概要が放送内容に同期するように前記概要情報を放送波に含めて送出する送出手段とを備えることを特徴とする。
【００２３】
これにより、概要情報が放送内容に同期するように放送波に含めて送出されるため、この放送波を受信する放送受信装置は、例えばユーザの操作に応じて、その放送内容の表示と、その放送内容に同期した概要の表示とを切り換えることができ、放送受信装置に対してユーザの嗜好を反映させて省電力化の向上を図ることができる。
【００２４】
なお、本発明は、このような放送受信端末及び放送装置として実現することができるだけでなく、それらが行う動作の方法やプログラム、そのプログラムを格納する記憶媒体としても実現することができる。
【発明の効果】
【００２５】
本発明の放送受信端末及び放送装置は、ユーザが自らの好む放送内容を見逃してしまうことなく省電力化の向上を図ることができるという作用効果を奏する。
【発明を実施するための最良の形態】
【００２６】
以下、本発明の実施の形態について、図面を参照しながら説明する。
図１は、本発明の実施の形態における放送システムの構成を示す構成図である。
【００２７】
本実施の形態の放送システムは、ユーザが自らの好む放送内容を見逃してしまうことなく省電力化の向上を図ったものであって、放送受信端末１００と放送装置２００とを備えている。
【００２８】
放送装置２００は、デジタル放送の番組内容（放送内容）を示すデジタル放送波に、その番組内容のアウトラインを示すリアルタイム番組情報（概要情報）を多重化する。そして、放送装置２００は、リアルタイム番組情報が多重化されたデジタル放送波を送出する。
【００２９】
放送受信端末１００は、例えば携帯電話機であって、放送装置２００が送出したデジタル放送波を受信して番組内容を映し出すための放送受信機能と、電子メールを編集及び送受信するためのメール機能、及び電話を行うための通話機能などの付属機能とを有する。
【００３０】
このような放送受信端末１００は、付属機能を起動又は実行している際に、リアルタイム番組情報の示す番組内容のアウトラインをその番組内容に同期するようにユーザに提示することを特徴とする。
【００３１】
なお、図１には、１つの放送受信端末１００のみを示したが、複数の放送受信端末１００が放送装置２００からのデジタル放送波を受信してもよい。
【００３２】
図２は、本発明の実施の形態における放送装置２００の構成を示すブロック図である。
放送装置２００は、図２に示すように、ストリーム生成部２０１と、データカルーセル生成部２０２と、情報生成部２０３と、送信部２０５とを備えている。
【００３３】
ストリーム生成部２０１は、デジタル放送の番組内容の映像や音声などを示すストリーム情報を生成し、生成したストリーム情報を出力する。
【００３４】
データカルーセル生成部２０２は、デジタル放送における、データ放送番組のコンテンツ情報を生成し、そのコンテンツ情報をデータ放送伝送方式であるデータカルーセルに符号化して出力する。
【００３５】
情報生成部２０３は、ストリーム情報及びデータカルーセルを参照して、映像、音声及びデータ放送によるデジタル放送の番組内容に同期したリアルタイム番組情報を生成し、その生成したリアルタイム番組情報を出力する。
【００３６】
送信部２０５は、ストリーム生成部２０１から出力されたストリーム情報と、データカルーセル生成部２０２から出力されたデータカルーセルと、情報生成部２０３から出力されたリアルタイム番組情報を取得し、そのストリーム情報とデータカルーセルとリアルタイム番組情報とを多重化してデジタル放送波を生成する。そして送信部２０５はそのデジタル放送波を変調して送出する。
【００３７】
図３は、本発明の実施の形態におけるデジタル放送波の一部のデータ構造を示す図である。
【００３８】
リアルタイム番組情報は、図３に示すように、デジタル放送波の汎用イベントメッセージ記述子Ｄ１のプライベート領域Ｄ２に格納されている。例えば、リアルタイム番組情報は、「松井が打席にはいりました」という文字列を示すテキストデータである。また、プライベート領域Ｄ２は、例えば８×Ｎ（Ｎは自然数）ビットの大きさを有する。
【００３９】
なお、情報生成部２０３において生成されるリアルタイム番組情報の符号化には、リアルタイム番組情報が独自の形式で直接ＴＳ（トランスポートストリーム）パケットに符号化される場合と、リアルタイム番組情報を一旦セクション形式に変換してからＴＳパケットに符号化される場合とが考えられる。さらに、セクション形式に変換する手法には、モジュールとしてリアルタイム番組情報を形式化してデータカルーセル方式で伝送する手法と、汎用イベントメッセージ記述子Ｄ１のプライベート領域Ｄ２に格納する手法とがある。
【００４０】
図４は、本発明の実施の形態における放送受信端末１００の構成を示すブロック図である。
【００４１】
放送受信端末１００は、表示部１２０と、第１処理部１１０と、第２処理部１３０とを備えている。
【００４２】
表示部１２０は、文字や画像などを表示するものであり、例えば、ＬＣＤ（Liquid Crystal Display）などで構成される。
【００４３】
第２処理部１３０は、機能処理手段として構成され、上述の付属機能、例えば、メール機能、通話機能、ＪＡＶＡ（登録商標）アプリケーション機能、ＷＥＢブラウザ機能、ＰＩＭ（Personal Information Manager）機能、カメラ機能、及びメニューランチャー機能に基づく動作を実行し、それらの機能に基づく画面を表示部１２０に表示させる。ここで、メニューランチャー機能とは、放送受信端末１００が有する各機能を提示して、ユーザに選択された機能を起動させるものである。
【００４４】
第１処理部１１０は、放送受信機能を有し、放送装置２００からのデジタル放送波を受信し、受信したデジタル放送波から抽出したストリーム情報やリアルタイム番組情報に基づき、表示部１２０の表示を制御する。
【００４５】
このような第１処理部１１０は、受信部１１１と、状態管理部１１２と、提示制御部１１３とを備える。
【００４６】
状態管理部１１２は、判別手段として構成され、第２処理部１３０による付属機能の動作状況に基づいて、放送受信機能が通常提示状態にあるべきかバックグラウンド状態にあるべきかの判別を行い、その判別した状態を受信部１１１と提示制御部１１３に通知する。
【００４７】
ここで、放送受信機能が通常提示状態であるとは、放送受信機能によって表示部１２０が使用され、表示部１２０に番組内容が映し出される状態であることをいう。また、放送受信機能がバックグラウンド状態であるとは、放送受信機能の起動によって第１処理部１１０がデジタル放送波を受信しているが、付属機能によって表示部１２０が使用され、表示部１２０に番組内容が映し出されない状態であることをいう。
【００４８】
受信部１１１は、ユーザの操作に基づきデジタル放送波を受信する。このようなデジタル放送波の受信により放送受信機能が起動する。
【００４９】
ここで、受信部１１１は、放送受信機能が通常状態にあるべきとの通知を状態管理部１１２から受けると、受信したデジタル放送波からストリーム情報及びデータカルーセルを抽出し、それぞれに対してデコードやレンダリング等の処理を行う。そして受信部１１１は、処理されたストリーム情報及びデータカルーセルを提示制御部１１３に出力する。また、受信部１１１は、放送受信機能がバックグラウンド状態にあるべきとの通知を状態管理部１１２から受けると、受信したデジタル放送波からリアルタイム番組情報のみを抽出して提示制御部１１３に出力する。
【００５０】
提示制御部１１３は、状態管理部１１２からの通知に基づいて表示部１２０の表示形式を制御する。即ち、提示制御部１１３は、バックグラウンド状態であるべき旨の通知を受けると、受信部１１１によって抽出されたリアルタイム番組情報の内容を表示部１２０に表示させる。このとき、提示制御部１１３は、表示部１２０の表示画面のピクト領域にその内容を表示させる。一方、通常提示状態であるべき旨の通知を受けると、提示制御部１１３は、ストリーム情報やデータカルーセルの内容を表示部１２０のピクト領域以外の部分に表示させる。
【００５１】
このような受信部１１１及び提示制御部１１３によって表示制御手段及び概要提示手段が構成される。
【００５２】
なお、ピクト領域とは、放送受信端末１００の状態を図形などを用いて表すために、放送受信端末１００の動作に関わらず表示部１２０の表示画面に常に割り当てられた一部の領域である。
【００５３】
このような第１処理部１１０の全体的な動作について説明する。
例えば、第２処理部１３０は、付属機能の例えばメール機能を起動し、表示部１２０にそのメール機能に基づく画面を大きく表示させようとする。さらに、第２処理部１３０は、付属機能が起動したこと、つまり表示部１２０がメール機能により使用されることを状態管理部１１２に通知する。
【００５４】
第２処理部１３０からの通知を受けた状態管理部１１２は、放送受信機能が通常提示状態になっていれば、その放送受信機能の状態をバックグラウンド状態にしなければならないと判別する。そして、状態管理部１１２は、バックグラウンド状態にすべき旨を受信部１１１と提示制御部１１３とに通知する。
【００５５】
状態管理部１１２からの通知を受けた受信部１１１は、デジタル放送波からのストリーム情報の抽出を停止、又はストリーム情報のデコードを停止する。さらに、受信部１１１は、デジタル放送波からのデータカルーセルの抽出を停止、又はデータカルーセルからのモジュールの復元を停止する。また、受信部１１１は、デジタル放送波からリアルタイム番組情報を抽出し、抽出したリアルタイム番組情報を提示制御部１１３に出力する。
【００５６】
提示制御部１１３は、状態管理部１２からバックグラウンド状態の通知を受けると、受信部１１１から出力されたリアルタイム番組情報を表示部１２０のピクト領域に提示させる。
【００５７】
ここで、例えば、第２処理部１３０は、メール機能を終了すると、その終了を状態管理部１１２に通知する。
【００５８】
第２処理部１３０からの通知を受けた状態管理部１１２は、放送受信機能の状態を通常提示状態にしなければならないと判別する。そして、状態管理部１１２は、通常提示状態にすべき旨を受信部１１１と提示制御部１１３とに通知する。
【００５９】
状態管理部１１２からの通知を受けた受信部１１１は、デジタル放送波からストリーム情報を抽出し、そのストリーム情報をデコードする。さらに、受信部１１１は、デジタル放送波からデータカルーセルを抽出し、そのデータカルーセルからモジュールを復元する。また、受信部１１１は、デジタル放送波からのリアルタイム番組情報の抽出を停止する。
【００６０】
提示制御部１１３は、状態管理部１１２から通常提示状態の通知を受けると、受信部１１１によってデコードされたストリーム情報の内容、及び復元されたモジュールを表示部１２０の表示画面に表示させる。
【００６１】
図５は、表示部１２０の画面表示の一例を示す図である。
表示部１２０の表示画面は、図５に示すように、放送受信端末１００が備えている放送受信機能や付属機能が通常使用するメイン領域１２２と、起動中の機能に関係なく常に放送受信端末１００の状態を示す上述のピクト領域１２１と、放送受信端末１００の操作の簡単な説明を表示するガイダンス領域１２３との３つの領域を有する。
【００６２】
なお、ここでは表示部１２０が３つの領域を有するとしたが、４つ以上の領域や２つ以下の領域を有しても良い。例えば、特定の機能が起動中の場合には、表示部１２０は、ピクト領域を表示せず、領域の数を２つにする。
【００６３】
第２処理部１３０は、図５の（ａ）に示すように、放送受信機能が起動していない状態、つまり第１処理部１１０がデジタル放送波を受信していない状態で、メニューランチャー機能を起動すると、表示部１２０のメイン領域１２２にメニューを表示させる。
【００６４】
例えば、このような表示が行われている状態で、ユーザは放送受信端末１００を操作して、「ＴＶ」と表示されたＴＶボタンｂ１を選択する。
【００６５】
ＴＶボタンｂ１が選択されると、放送受信機能が起動して通常提示状態となり、表示部１２０は、図５の（ｂ）に示す画面を表示する。
【００６６】
即ち、第２処理部１３０は、ＴＶボタンｂ１の選択に応じて、メニューランチャー機能を終了させ、その終了とＴＶボタンｂ１の選択とを第１処理部１１０に通知する。その結果、第１処理部１１０は、放送受信機能を起動することにより、デジタル放送波を受信して、デジタル放送の番組内容を表示部１２０のメイン領域１２２に映し出させる。
【００６７】
このとき、表示部１２０は、メニューの画面に戻るためのメニューボタンｂ２と、デジタル放送波の受信及び番組内容の表示を終了するためのＴＶ終了ボタンｂ３とを、ガイダンス領域１２３に表示する。
【００６８】
ユーザの操作によりＴＶ終了ボタンｂ３が選択されると、第１処理部１１０は、放送受信機能を終了、つまりデジタル放送波の受信及びストリーム情報の抽出等の処理を終了する。これにより、表示部１２０は、予め設定されている待ち受け画面などをメイン領域１２２に表示する。
【００６９】
ユーザの操作によりメニューボタンｂ２が選択されると、放送受信機能がバックグラウンド状態となり、表示部１２０は、図５の（ｃ）に示す画面を表示する。
【００７０】
即ち、第２処理部１３０は、メニューランチャー機能を起動し、その起動を第１処理部１１０に通知する。そして、第２処理部１３０は、メニューランチャー機能の起動によって、メニューを表示部１２０のメイン領域１２２に表示させる。
【００７１】
メニューランチャー機能の起動の通知を受けた第１処理部１１０は、デジタル放送波からのストリーム情報の抽出等の処理を停止する一方、デジタル放送波からリアルタイム番組情報を抽出して、そのリアルタイム番組情報の内容（アウトライン）を、表示部１２０のピクト領域１２１の一部である情報提示領域１２１ａに文字列で表示させる。第１処理部１１０は、そのアウトラインである文字列を例えば左右又は上下方向にスクロールさせる。
【００７２】
またこのとき、表示部１２０は、メニューの表示を終了するためのメニュー終了ボタンｂ４と、デジタル放送波の受信及びアウトラインの表示を終了するためのＴＶ終了ボタンｂ５とを、ガイダンス領域１２３に表示する。
【００７３】
ユーザの操作によりメニュー終了ボタンｂ４が選択されると、放送受信機能が通常提示状態となり、表示部１２０は、図５の（ｂ）に示す画面を表示する。
【００７４】
即ち、第１処理部１１０は、デジタル放送波からのストリーム情報の抽出等の処理を開始する一方、デジタル放送波からのリアルタイム番組情報の抽出等の処理を停止する。その結果、第１処理部１１０は、表示部１２０のメイン領域１２２にデジタル放送の番組内容を表示させる。
【００７５】
また、ユーザの操作によりＴＶ終了ボタンｂ５が選択されると、第１処理部１１０は放送受信機能を終了する。その結果、図５の（ａ）に示すように、表示部１２０の情報提示領域１２１ａに表示されていたアウトラインは表示されなくなる。
【００７６】
図６は、本発明の実施の形態の放送受信端末１００の処理の流れを示すフロー図である。
【００７７】
まず、放送受信端末１００は、ＴＶボタンｂ１の選択により、放送受信機能を起動する（ステップＳ１００）。
【００７８】
放送受信端末１００は、デジタル放送波を受信することが不能か否か、及びＴＶ終了ボタンｂ５の選択により放送受信機能の終了が指示されたか否かを判別する（ステップＳ１０２）。
【００７９】
ここで、受信不能、又は終了が指示されたと判別したときには（ステップＳ１０２のＹ）、放送受信端末１００は、放送受信機能を終了する（ステップＳ１０４）。なお、デジタル放送波を受信することが不能である時には、エラーを通知してもよい。
【００８０】
一方、受信可能、又は終了が指示されていないと判別したときには（ステップＳ１０２のＮ）、放送受信端末１００は、付属機能の動作状況に基づき、放送受信機能がバックグラウンド状態であるべきか通常提示状態であるべきかを判別する（ステップＳ１０４）
ここで、通常提示状態であるべきと判別したときには、放送受信端末１００は、デジタル放送波からストリーム情報及びデータカルーセルを抽出し、それらに対してデコードやレンダリング処理などを行う（ステップＳ１０６）。そして、放送受信端末１００は、上記処理が行われたストリーム情報及びデータカルーセルにより示されるデジタル放送の番組内容を表示部１２０のメイン領域１２２に映し出す（ステップＳ１０８）。
【００８１】
一方、バックグラウンド状態であるべきと判別したときには、放送受信端末１００は、デジタル放送波からリアルタイム番組情報を抽出する（ステップＳ１１０）。そして、放送受信端末１００は、抽出されたリアルタイム番組情報により示される番組内容のアウトラインを文字列で表示部１２０のピクト領域１２１（情報提示領域１２１ａ）に表示する（ステップＳ１１２）。
【００８２】
図７は、本実施の形態における放送受信端末１００の放送受信機能の状態遷移図である。
【００８３】
放送受信端末１００の放送受信機能の状態には、その機能に基づく動作が実行されていない停止状態Ｓｔ１１と、上述の通常提示状態Ｓｔ１２及びバックグラウンド状態Ｓｔ１３とがある。
【００８４】
例えばＴＶボタンｂ１の選択により放送受信機能が起動すると、その状態は、停止状態Ｓｔ１１から通常提示状態Ｓｔ１２に遷移する。
【００８５】
通常提示状態Ｓｔ１２は、例えばメニューボタンｂ２の選択によりメニューランチャー機能が起動すると、バックグラウンド状態Ｓｔ１３に遷移する。また、通常提示状態Ｓｔ１２は、例えばＴＶ終了ボタンｂ３の選択により放送受信機能が終了すると、停止状態Ｓｔ１１に戻る。
【００８６】
バックグラウンド状態Ｓｔ１３は、例えばメニュー終了ボタンｂ４の選択によりメニューランチャー機能が終了すると、通常提示状態Ｓｔ１２に遷移する。また、バックグラウンド状態Ｓｔ１３は、例えばＴＶ終了ボタンｂ３の選択により放送受信機能が終了すると、停止状態Ｓｔ１１に戻る。
【００８７】
なお、上述の例では、メニューランチャー機能の起動及び終了に基づいて放送受信機能の状態が遷移したが、他の付属機能の起動及び終了に基づいて遷移しても良い。
【００８８】
このように、本実施の形態では、番組内容の表示と、その番組内容のアウトラインの表示とが、ユーザの操作に基づく付属機能の起動又は終了により切り換えられる。したがって、例えばユーザにとって関心のない場面が放送されているときには、ユーザは放送受信端末を操作してメール機能などの付属機能を起動し、アウトラインだけを表示させておけば、ストリーム情報に対するデコードなどが行われず、省電力化を図ることができる。また、番組内容が表示されていなくても、その番組内容に同期したアウトラインが表示されているので、ユーザは、そのアウトラインを見ることにより、ユーザにとって関心のある場面が放送されているか否かを知ることができる。そして、ユーザは、放送受信端末を操作すれば、その関心のある場面を表示部１２０に表示させることができる。したがって、ユーザがメールやゲームなどに熱中していても、関心のある番組や場面を見逃してしまうのを防ぐことができる。即ち、ユーザが自らの好む番組や場面を見逃してしまうことなく省電力化の向上を図ることができる。
【００８９】
（変形例１）
ここで、通常提示状態とバックグラウンド状態との間における遷移のトリガについての変形例について説明する。
【００９０】
上記実施の形態では、付属機能の起動又は終了をトリガに、上記各状態間の遷移を行った。
【００９１】
本変形例では、放送受信端末の形状の変化をトリガに、上記各状態間の遷移を行う。
即ち、本変形例に係る放送受信端末は、その形状が変形自在に構成されており、変形することにより表示部の表示画面が隠れた時に、放送受信機能を通常提示状態からバックグラウンド状態に遷移させることを特徴とする。
【００９２】
図８は、本変形例に係る放送受信端末の構成を示すブロック図である。
放送受信端末１００ａは、例えば折畳み自在に構成された携帯電話機であって、表示部１２０と、第１処理部１１０ａと、第２処理部１３０と、形状管理部１３１と、サブ表示部１３２とを備えている。
【００９３】
表示部１２０は、放送受信端末１００が折畳まれたときには、その表示画面が隠れるような位置に取り付けられている。
【００９４】
サブ表示部１３２は、表示部１２０と同様、ＬＣＤなどで構成されており、放送受信端末１００ａが折畳まれたときには、その表示画面が表面に現れるような位置に取り付けられている。
【００９５】
なお、ここでは、サブ表示部１３２の数を１つとしたが、２つ以上であってもよい。この場合、形状の変化に応じて、複数のサブ表示部１３２の中から、ユーザへ提示可能なサブ表示部１３２を選択するなどの制御が行われる。
【００９６】
形状管理部１３１は、放送受信端末１００ａの形状を監視し、その形状を第１処理部１１０ａに通知する。例えば、形状管理部１３１は、放送受信端末１００ａが折畳まれている形状（折畳み形状）であることや、広げられている形状（展開形状）であることを通知する。
【００９７】
第１処理部１１０ａは、受信部１１１と提示制御部１１３ａと状態管理部１１２ａとを備える。
【００９８】
状態管理部１１２ａは、形状管理部１３１からの通知に基づいて、放送受信機能が通常提示状態にあるべきかバックグラウンド状態にあるべきかの判別を行う。そして状態管理部１１２ａは、その判別した放送受信機能の状態を受信部１１１と提示制御部１１３ａに通知する。
【００９９】
例えば、状態管理部１１２ａは、形状管理部１３１から折畳み形状の通知を受けると、放送受信機能がバックグラウンド状態であるべきと判別する。また、状態管理部１１２ａは、形状管理部１３１から展開形状の通知を受けると、放送受信機能が通常提示状態であるべきと判別する。
【０１００】
提示制御部１１３ａは、状態管理部１１２ａからの通知に従って、表示部１２０及びサブ表示部１３２の表示を制御する。即ち、提示制御部１１３ａは、放送受信機能の起動時に、通常提示状態であるべき旨の通知を受けると、表示部１２０のメイン領域１２２にデジタル放送の番組内容を映し出し、バックグラウンド状態であるべき旨の通知を受けると、サブ表示部１３２にリアルタイム番組情報のアウトラインを文字列で表示させる。
【０１０１】
図９は、表示部１２０とサブ表示部１３２の表示画面の一例を示す図である。
ユーザは、放送受信端末１００ａを展開形状にして、例えばＴＶボタンｂ１を選択することにより、放送受信機能を起動させる。その結果、第１処理部１１０ａは、放送受信機能の起動時に、形状管理部１３１から展開形状の通知を受けるため、図９の（ａ）に示すように、表示部１２０のメイン領域１２２にデジタル放送の番組内容を映し出す。このとき、放送受信機能は通常表示状態である。
【０１０２】
ここで、ユーザは、放送受信端末１００ａを折畳み形状に変形する。その結果、第１処理部１１０ａは、放送受信機能の起動中に、形状管理部１３１から折畳み形状の通知を受けるため、図９の（ｂ）に示すように、サブ表示部１３２のメイン領域１３２ａにリアルタイム番組情報のアウトラインを文字列で表示させる。第１処理部１１０ａは、そのアウトラインである文字列を例えば左右又は上下方向にスクロールさせる。このとき、放送受信機能はバックグラウンド状態である。
【０１０３】
図１０は、本変形例に係る放送受信端末１００ａの放送受信機能の状態遷移図である。
放送受信端末１００ａの放送受信機能の状態には、その機能に基づく動作が実行されていない停止状態Ｓｔ１１と、上述の通常提示状態Ｓｔ１２及びバックグラウンド状態Ｓｔ１３とがある。
【０１０４】
例えばＴＶボタンｂ１の選択により放送受信機能が起動すると、その状態は、停止状態Ｓｔ１１から通常提示状態Ｓｔ１２に遷移する。
【０１０５】
通常提示状態Ｓｔ１２は、放送受信端末１００ａの形状が展開形状から折畳み形状に変化すると、バックグラウンド状態Ｓｔ１３に遷移する。また、通常提示状態Ｓｔ１２は、例えばＴＶ終了ボタンｂ３の選択により放送受信機能が終了すると、停止状態Ｓｔ１１に戻る。
【０１０６】
バックグラウンド状態Ｓｔ１３は、放送受信端末１００ａの形状が折畳み形状から展開形状に変化すると、通常提示状態Ｓｔ１２に遷移する。また、バックグラウンド状態Ｓｔ１３は、例えば所定のボタンの選択により放送受信機能が終了すると、停止状態Ｓｔ１１に戻る。
【０１０７】
このように、本変形例では、放送受信端末１００ａが展開形状であるときには、番組内容が表示部１２０に表示され、放送受信端末１００ａが折畳み形状であるときには、番組内容のアウトラインがその番組内容に同期してサブ表示部１３２に表示される。したがって、ユーザはその放送受信端末１００ａを変形させることにより、番組内容の表示と、アウトラインの表示とを自在に切り換えることができ、消費電力を抑えることができる。
【０１０８】
（変形例２）
ここで、通常提示状態とバックグラウンド状態との間における遷移のトリガについての他の変形例について説明する。
【０１０９】
上記実施の形態では、付属機能の起動又は終了をトリガに、上記各状態間の遷移を行った。
【０１１０】
本変形例では、放送受信機能の状態に対する直接的なユーザの指示をトリガに、上記各状態間の遷移を行う。
【０１１１】
図１１は、本変形例に係る放送受信端末の構成を示すブロック図である。
放送受信端末１００ｂは、表示部１２０と、第１処理部１１０ｂと、第２処理部１３０ｂと、ユーザ入力処理部１３３とを備えている。
【０１１２】
ユーザ入力処理部１３３は、ユーザによる操作に基づいて、放送受信機能を通常提示状態とするかバックグラウンド状態とするかについての指示を受け付ける。そしてユーザ入力処理部１３３は、受け付けた指示内容を第１処理部１１０ｂ及び第２処理部１３０ｂに通知する。
【０１１３】
第２処理部１３０ｂは、ユーザの操作に応じて付属機能を起動及び終了させるとともに、第１処理部１１０ｂ及びユーザ入力処理部１３３からの通知に基づいて、起動中の付属機能に基づく画面の表示及び非表示について表示部１２０を制御する。
【０１１４】
例えば第２処理部１３０ｂは、ユーザ入力処理部１３３から通常提示状態の通知を受けると、付属機能を起動していても、第１処理部１１０ｂによる表示部１２０の使用を認めて、表示部１２０に対してその付属機能に基づく画面を表示させない。一方、第２処理部１３０ｂは、ユーザ入力処理部１３３からバックグラウンド状態の通知を受けると、起動中の付属機能に基づく画面を表示部１２０に表示させる。
【０１１５】
第１処理部１１０ｂは、受信部１１１と提示制御部１１３と状態管理部１１２ｂとを備える。
【０１１６】
状態管理部１１２ｂは、放送受信機能の起動及び終了を第２処理部１３０ｂに通知するとともに、ユーザ入力処理部１３３からの通知を受け取ると、その通知内容に基づいて放送受信機能を通常提示状態とすべきかバックグラウンド状態とすべきかを判別する。そして状態管理部１１２ｂは、その判別した状態を受信部１１１及び提示制御部１１３に通知する。なお、状態管理部１１２ｂは、放送受信機能が起動したときには、初期設定として、ユーザ入力処理部１３３からの通知がなくても、通常提示状態にすべき通知を受信部１１１及び提示制御部１１３に対して行う。
【０１１７】
図１２は、表示部１２０の画面表示の一例を示す図である。
図５の（ａ）に示す状態からＴＶボタンｂ１が選択されると、放送受信機能が起動して通常提示状態となり、表示部１２０に表示される画面は、図１２の（ａ）に示すような画面となる。
【０１１８】
即ち、第１処理部１１０ｂは、放送受信機能を起動することによりデジタル放送波を受信して、デジタル放送の番組内容を表示部１２０のメイン領域１２２に映し出させる。そして、第１処理部１１０ｂは、放送受信機能の起動を第２処理部１３０ｂに通知する。
【０１１９】
第２処理部１３０ｂは、第１処理部１１０ｂからの放送受信機能の起動の通知を受けると、メニューランチャー機能を終了させずに、表示部１２０に対してメニューの表示を停止させる。
【０１２０】
このとき、表示部１２０は、メニューの画面に戻るためのバックボタンｂ１１と、デジタル放送波の受信及び番組内容の表示を終了するためのＴＶ終了ボタンｂ１２とを、ガイダンス領域１２３に表示する。
【０１２１】
ユーザの操作によりＴＶ終了ボタンｂ１２が選択されると、放送受信機能が終了し、表示部１２０に表示される画面は、図５の（ａ）に示す画面に戻る。
【０１２２】
即ち、第１処理部１１０ｂは、放送受信機能を終了、つまりデジタル放送波の受信及びストリーム情報の抽出等の処理を終了し、その終了を第２処理部１３０ｂに通知する。第２処理部１３０ｂは、第１処理部１１０ｂからの放送受信機能の終了の通知を受けると、起動中のメニューランチャー機能に基づくメニューを表示部１２０のメイン領域１２２に表示させる。
【０１２３】
ユーザの操作によりバックボタンｂ１１が選択されると、放送受信機能がバックグラウンド状態となり、表示部１２０に表示される画面は、図１２の（ｂ）に示すような画面となる。
【０１２４】
即ち、ユーザ入力処理部１３３は、バックボタンｂ１１の選択に基づいて、放送受信機能をバックグラウンド状態にすべき指示を受け付け、その指示内容を第１処理部１１０ｂ及び第２処理部１３０ｂに通知する。第１処理部１１０ｂは、ユーザ入力処理部１３３からの通知を受けると、表示部１２０のメイン領域１２２への番組内容の映し出しを停止させ、表示部１２０のピクト領域１２１（情報提示領域１２１ａ）に、リアルタイム番組情報の内容（番組内容のアウトライン）を文字列で表示させる。第２処理部１３０ｂは、ユーザ入力処理部１３３からの通知を受けると、起動中のメニューランチャー機能に基づくメニューを表示部１２０のメイン領域１２２に表示させる。
【０１２５】
このとき、表示部１２０は、番組内容を映し出すためのＴＶ表示ボタンｂ１３と、デジタル放送波の受信及びアウトラインの表示を終了するためのＴＶ終了ボタンｂ１４とを、ガイダンス領域１２３に表示する。
【０１２６】
ユーザの操作によりＴＶ表示ボタンｂ１３が選択されると、放送受信機能が通常提示状態となり、表示部１２０に表示される画面は、図１２の（ａ）に示すような画面となる。
【０１２７】
即ち、ユーザ入力処理部１３３は、ＴＶ表示ボタンｂ１３の選択に基づいて、放送受信機能を通常提示状態にすべき指示を受け付け、その指示内容を第１処理部１１０ｂ及び第２処理部１３０ｂに通知する。第２処理部１３０ｂは、ユーザ入力処理部１３３からの通知を受けると、メニューランチャー機能を終了させずに、表示部１２０に対してメニューの表示を停止させる。第１処理部１１０ｂは、ユーザ入力処理部１３３からの通知を受けると、表示部１２０の情報提示領域１２１ａへのアウトラインの表示を停止させ、表示部１２０のメイン領域１２２に番組内容を映し出させる。
【０１２８】
ユーザの操作によりＴＶ終了ボタンｂ１４が選択されると、上述と同様、放送受信機能が終了し、表示部１２０に表示される画面は、図５の（ａ）に示す画面に戻る。即ち、第１処理部１１０ｂは、放送受信機能を終了、つまりデジタル放送波の受信及びリアルタイム番組情報の抽出等の処理を終了し、表示部１２０の情報提示領域１２１ａへのアウトラインの表示を停止させる。
【０１２９】
また、メニューに含まれる各機能に応じたボタンのうちメールボタンｂ１５がユーザにより選択されると、表示部１２０に表示される画面は、図１２の（ｃ）に示す画面となる。
【０１３０】
即ち、第２処理部１３０ｂは、メニューランチャー機能を終了させて、その代わりにメール機能を起動させる。その結果、第２処理部１３０ｂは、メール機能に基づくメール編集画面を表示部１２０のメイン領域１２２に表示させる。このとき、放送受信機能は、バックグラウンド状態にあり、第１処理部１１０ｂは表示部１２０のピクト領域１２１（情報提示領域１２１ａ）にリアルタイム番組情報のアウトラインを文字列で表示させている。
【０１３１】
このときにも表示部１２０は、上述のＴＶ表示ボタンｂ１３及びＴＶ終了ボタンｂ１４と、メール機能を終了させるためのキャンセルボタンｂ１６とを、ガイダンス領域１２３に表示している。
【０１３２】
ユーザの操作によりＴＶ表示ボタンｂ１３が選択されると、上述と同様、放送受信機能が通常提示状態となり、表示部１２０に表示される画面は、図１２の（ａ’）に示す画面となる。
【０１３３】
ユーザの操作によりキャンセルボタンｂ１６が選択されると、表示部１２０に表示される画面は、図１２の（ｂ）に示す画面に戻る。即ち、第２処理部１３０ｂは、メール機能を終了させて、その代わりにメニューランチャー機能を起動させる。
【０１３４】
ユーザの操作によりＴＶ終了ボタンｂ１４が選択されると、第１処理部１１０ｂは放送受信機能を終了し、表示部１２０の情報提示領域１２１ａへのアウトラインの表示を停止させる。
【０１３５】
また、表示部１２０に表示される画面が、上述のように図１２の（ａ’）に示す画面となったときに、バックボタンｂ１１がユーザの操作により選択されると、放送受信機能がバックグラウンド状態となり、表示部１２０に表示される画面は、図１２の（ｃ）に示すような画面となる。つまり、前に表示されていたメール編集画面が表示部１２０のメイン領域１２２に表示され、リアルタイム番組情報のアウトラインが文字列で表示部１２０のピクト領域１２１に表示される。
【０１３６】
図１３は、本変形例に係る放送受信端末１００ｂの放送受信機能の状態遷移図である。
放送受信端末１００ｂの放送受信機能の状態には、その機能に基づく動作が実行されていない停止状態Ｓｔ１１と、上述の通常提示状態Ｓｔ１２及びバックグラウンド状態Ｓｔ１３とがある。
【０１３７】
例えばＴＶボタンｂ１の選択により放送受信機能が起動すると、その状態は、停止状態Ｓｔ１１から通常提示状態Ｓｔ１２に遷移する。
【０１３８】
通常提示状態Ｓｔ１２は、例えばユーザによりバックボタンｂ１１が選択されると、バックグラウンド状態Ｓｔ１３に遷移する。また、通常提示状態Ｓｔ１２は、例えばＴＶ終了ボタンｂ１４の選択により放送受信機能が終了すると、停止状態Ｓｔ１１に戻る。
【０１３９】
バックグラウンド状態Ｓｔ１３は、例えばユーザによりテレビ表示ボタンｂ１３が選択されると、通常提示状態Ｓｔ１２に遷移する。また、バックグラウンド状態Ｓｔ１３は、例えばＴＶ終了ボタンｂ１４の選択により放送受信機能が終了すると、停止状態Ｓｔ１１に戻る。
【０１４０】
このように本変形例では、放送受信機能を通常提示状態とするかバックグラウンド状態とするかについての指示をユーザから受け付けて、その受け付けられた指示に基づいて放送受信機能の状態を遷移させる。したがって、ユーザはその放送受信端末１００ｂに対して指示することにより、番組内容の表示と、アウトラインの表示とを自在に切り換えることができ、消費電力を抑えることができる。
【０１４１】
（変形例３）
ここで、本実施の形態におけるリアルタイム番組情報の取得と、そのリアルタイム番組情報の内容の提示とのタイミングについての変形例について説明する。
【０１４２】
本実施の形態では、放送受信端末１００はリアルタイム番組情報を取得すると、直接的に、そのリアルタイム番組情報の内容を提示するための提示処理を行ってその内容を提示した。
【０１４３】
本変形例に係る放送受信端末は、提示すべき時刻を示す時刻情報を含むリアルタイム番組情報を取得し、その時刻情報により示される時刻に、提示処理を行ってリアルタイム番組情報の内容を提示することを特徴とする。一方、本変形例に係る放送装置２００の情報生成部２０３は、ストリーム生成部２０１のストリーム情報及びデータカルーセル生成部２０２のデータカルーセルを参照して、それらのアウトラインが提示されるべき時刻を特定する。そして、情報生成部２０３は、その時刻を示す時刻情報をリアルタイム番組情報に含めて出力する。
【０１４４】
図１４は、本変形例に係る放送受信端末の構成を示すブロック図である。
本変形例に係る放送受信端末１００ｃは、表示部１２０と、第１処理部１１０ｃと、第２処理部１３０と、時刻計測部１３４とを備えている。
【０１４５】
時刻計測部１３４は、現在時刻を計時しており、その現在時刻を第１処理部１１０ｃに通知する。
【０１４６】
第１処理部１１０ｃは、受信部１１１ｃと提示制御部１１３と状態管理部１１２と情報記憶部１１４とを備える。
【０１４７】
情報記憶部１１４は、リアルタイム番組情報を記憶するための領域を有する。
受信部１１１ｃは、放送受信機能がバックグラウンド状態であるときに、デジタル放送波を受信すると、そのデジタル放送波から時刻情報を含むリアルタイム番組情報を抽出してこれを情報記憶部１１４に記憶させる。そして、受信部１１１ｃは、時刻計測部１３４から通知される現在時刻と、情報記憶部１１４に記憶されているリアルタイム番組情報の時刻情報が示す時刻とを比較する。その時刻情報が示す時刻が現在時刻と等しければ、受信部１１１ｃは、その時刻情報を含んでいるリアルタイム番組情報を、情報記憶部１１４から読み出して提示制御部１１３に出力する。
【０１４８】
提示制御部１１３は、受信部１１１ｃからリアルタイム番組情報を取得すると、そのリアルタイム番組情報の示すアウトラインを文字列で表示部１２０に表示させる。またこのとき表示されるアウトラインは、デジタル放送波の番組内容と同期している。
【０１４９】
図１５は、本変形例に係る放送受信端末１００ｃのバックグラウンド状態における動作を示すフロー図である。
【０１５０】
まず、放送受信端末１００ｃは、放送受信機能の起動によりデジタル放送波を受信し、そのデジタル放送波からリアルタイム番組情報を抽出する（ステップＳ１２０）。そして、放送受信端末１００ｃは、その抽出したリアルタイム番組情報を情報記憶部１１４に格納する（ステップＳ１２２）。
【０１５１】
リアルタイム番組情報を格納した放送受信端末１００ｃは、そのリアルタイム番組情報に含まれる時刻情報の示す時刻が、現在時刻と一致するか否かを判別する（ステップＳ１２４）。
【０１５２】
ここで、一致しないと判別したときには（ステップＳ１２４のＮ）、放送受信端末１００ｃは、例えば１秒や５秒などの所定時間だけ計時を行い（ステップＳ１２６）、その所定時間経過後に再びステップＳ１２４の処理を実行する。
【０１５３】
一方、一致すると判別したときには（ステップＳ１２４のＹ）、放送受信端末１００ｃは、情報記憶部１１４に格納されたリアルタイム番組情報を読み出し（ステップＳ１２８）、そのリアルタイム番組情報の内容（アウトライン）を表示部１２０に表示する（ステップＳ１３０）。
【０１５４】
なお、本変形例では、リアルタイム番組情報に時刻情報を含ませたが、これを含ませなくても良い。即ち、放送装置２００は、アウトラインを提示するように促すメッセージを、デジタル放送波に含めて送出する。放送受信端末１００ｃの受信部１１１ｃは、上記メッセージを受けると、既に情報記憶部１１４に格納されているリアルタイム番組情報を読み出して提示制御部１１３に出力する。そして提示制御部１１３は、受信部１１１ｃからリアルタイム番組情報を取得すると、そのリアルタイム番組情報の示すアウトラインを文字列で表示部１２０に表示させる。
【０１５５】
また、本変形例では、リアルタイム番組情報の示すアウトラインを、デジタル放送波の番組内容と同期するように表示させたが、同期させなくても良い。例えば、放送受信端末１００ｃは、デジタル放送波に多重化されて送出されるリアルタイム番組情報を随時、情報記憶部１１４に格納しておく。そして、放送受信端末１００ｃは、ユーザからアウトラインの表示を促す指示を受け付けると、情報記憶部１１４に格納されているリアルタイム番組情報を読み出して、そのアウトラインを表示部１２０に表示する。これにより、ユーザは、どのような番組が放送されていたかを、表示部１２０に表示されるアウトラインから事後的に知ることができる。
【０１５６】
（変形例４）
ここで、本実施の形態におけるリアルタイム番組情報の内容の提示方法に関する変形例について説明する。
【０１５７】
本実施の形態では、放送受信端末１００はリアルタイム番組情報の内容を文字列として表示部１２０に表示した。
【０１５８】
本変形例に係る放送受信端末は、リアルタイム番組情報の内容を音声で提示する。
図１６は、本変形例に係る放送受信端末の構成を示すブロック図である。
【０１５９】
本変形例に係る放送受信装置１００ｄは、表示部１２０と、第１処理部１１０ｄと、第２処理部１３０と、音声出力部１３５とを備えている。
【０１６０】
第１処理部１１０ｄは、受信部１１１ｄと、状態管理部１１２と、提示制御部１１３ｄと、音声制御部１１５とを備える。
【０１６１】
受信部１１１ｄは、デジタル放送波から抽出したストリーム情報とデータカルーセルとを提示制御部１１３ｄに出力し、デジタル放送波から抽出したリアルタイム番組情報を音声制御部１１５に出力する。
【０１６２】
提示制御部１１３ｄは、放送受信機能がバックグラウンド状態のときには、表示部１２０に対する表示画面の制御を停止する。即ち、提示制御部１１３ｄは、上述の提示制御部１１３のようにリアルタイム番組情報の内容を表示部１２０に表示させることを行わない。
【０１６３】
音声制御部１１５は、放送受信機能がバックグラウンド状態のときには、受信部１１１ｄからリアルタイム番組情報を取得し、そのリアルタイム番組情報の内容（番組内容のアウトライン）を解析する。そして、音声制御部１１５は、音声合成により、その内容を示す音声信号を生成して、その音声信号を音声出力部１３５に出力する。
【０１６４】
音声出力部１３５は、例えばスピーカなどからなり、音声信号を第１処理部１１０ｄから取得して、その音声信号の示す音声を出力する。
【０１６５】
図１７は、放送受信端末１００ｄの放送受信機能がバックグラウンド状態であるときの様子を説明するための説明図である。
【０１６６】
例えば、放送受信端末１００ｄは、携帯電話機として構成されており、放送受信機能がバックグラウンド状態であるときに、メール機能に基づくメール編集画面を表示部１２０に表示している。このような場合、放送受信端末１００ｄは、リアルタイム番組情報の内容として例えば「松井が打席に入りました」といった音声を音声出力部１３５から出力する。
【０１６７】
このように、本変形例では、番組内容のアウトラインが音声で通知されることにより、そのアウトラインが文字列で表示される場合に比べて、ユーザは放送受信端末１００ｄに注目しておく必要がなく、ユーザの使い勝手をさらに向上することができる。
【０１６８】
なお、本変形例では、リアルタイム番組情報をテキストデータとして構成し、放送受信端末１００ｄに音声合成をさせたが、リアルタイム番組情報を音声信号として構成しても良い。この場合、音声制御部１１５は、受信部１１１ｄから取得したリアルタイム番組情報に対して、音声合成などの処理を行うことなく、そのリアルタイム番組情報を音声出力部１３５に出力する。これにより、音声制御部１１５の処理負担を軽減することができる。
【０１６９】
また、本変形例では、リアルタイム番組情報の内容、つまり番組内容のアウトラインを音声で出力したが、例えば「ピー」といった音や「見所です」といった音声を出力しても良い。例えば、ユーザが好む番組や場面が放送されるときに、放送受信端末１００ｄは上述の音を鳴らす。ここで、放送受信端末１００ｄは、例えば予め登録されている番組や場面に基づいて、デジタル放送波の番組内容がユーザの好みの番組や場面であるか否かを判別する。また、放送受信端末１００ｄは、デジタル放送波に含まれるフラグなどに基づいて、デジタル放送波の番組内容がユーザの好みの番組や場面であるか否かを判別する。
【０１７０】
また、本変形例では、バックグラウンド状態では、番組内容のアウトラインを音声で出力したが、番組内容の音声を出力しても良い。例えば、放送受信端末１００ｄは、バックグラウンド状態において、番組内容の音声を解析することにより、例えばその音声に含まれるキーワード（重要ポイント）のみを出力したり、そのキーワードを他の音声よりも大きな音量で出力したりする。ここで、放送受信端末１００ｄは、例えば予め登録されているキーワードに基づいて、番組内容の音声からそのキーワードを特定する。また、放送受信端末１００ｄは、デジタル放送波に含まれるフラグなどに基づいて、番組内容の音声から上記キーワードを特定する。
【０１７１】
さらに、本変形例では、番組内容のアウトラインを音声で出力したが、音声で出力するとともに、アウトラインを文字列で表示部１２０に表示させても良い。
【０１７２】
（変形例５）
ここで、本実施の形態におけるリアルタイム番組情報の内容の提示方法に関する他の変形例について説明する。
【０１７３】
本実施の形態では、放送受信端末１００はリアルタイム番組情報の内容を文字列として表示部１２０に表示させた。
【０１７４】
本変形例に係る放送受信端末は、リアルタイム番組情報の内容を文字列と比較的小さな動画像で提示する。
【０１７５】
図１８は、放送受信機能がバックグラウンド状態にあるときの表示部１２０の表示画面の一例を示す図である。
【０１７６】
本変形例に係る放送受信端末の第１処理部は、放送受信機能がバックグラウンド状態にあるときには、リアルタイム番組情報の内容を文字列で表示部１２０に表示させるとともに、デジタル放送波からストリーム情報を抽出してそのストリーム情報をデコードする。ここで行われるデコードでは、通常提示状態で行われるデコードよりも、描画精度が劣り、消費電力が小さい。例えば、第１処理部は画質が粗くなるようにデコードする。そして、第１処理部は、図１８に示すように、デコードされたストリーム情報の内容を動画像（簡易画像）Ｐ１として表示部１２０の情報提示領域１２１ａに小さく表示させる。
【０１７７】
このように、本変形例では、バックグラウンド状態では描画精度を落とした簡易画像Ｐ１と文字列を番組内容のアウトラインとして表示するため、ユーザは放送受信端末の放送受信機能をバックグラウンド状態としておけば、放送受信端末の消費電力を抑えることができるとともに、ユーザの好む場面を見逃してしまうことを防ぐことができる。
【０１７８】
なお、本変形例の放送受信端末は、ストリーム情報を用いて情報提示領域１２１ａに小さな簡易画像Ｐ１を表示させたが、リアルタイム番組情報を用いて簡易画像Ｐ１を表示させても良い。即ち、リアルタイム番組情報には、アウトラインを示すテキストデータと、上記簡易画像Ｐ１を表示するための画像データが含まれている。例えば、その画像データは、ＧＩＦ（Graphic Interchange Format）、ＭＮＧ（Multiple-Image Network Graphics）の形式で構成されている。バックグラウンド状態では、放送受信端末は、リアルタイム番組情報の画像データに対してデコードなどの画像処理を行う。そして放送受信端末は、そのリアルタイム番組情報のテキストデータに基づく文字列と、リアルタイム番組情報の画像データに基づく簡易画像Ｐ１とを、表示部１２０の情報提示領域１２１ａに表示する。また、放送受信端末は、簡易画像Ｐ１を静止画像として表示しても良い。この場合、画像データは、例えばＪＰＥＧ（Joint Photographic Experts Group）、ＰＮＧ（Portable Network Graphics）の形式で構成されている。
【０１７９】
また、本変形例では、番組内容のアウトラインを簡易画像Ｐ１で提示したが、ユーザにとって興味のある番組や場面などをバイブレーションなどで提示しても良い。
【０１８０】
また、本変形例では、バンクグランド状態において簡易画像Ｐ１と文字列によるアウトラインとを表示したが、簡易画像Ｐ１のみを表示しても良い。
【０１８１】
（変形例６）
ここで、本実施の形態における放送受信端末の放送受信機能の状態遷移についての変形例について説明する。
【０１８２】
本実施の形態における放送受信端末は、起動された放送受信機能の状態を、通常提示状態とバックグラウンド状態との間でのみ遷移させた。
【０１８３】
本変形例に係る放送受信端末は、さらに、起動された放送受信機能の状態を後述する禁止状態へも遷移させる。
【０１８４】
また、本変形例に係る放送装置は、放送受信端末の放送受信機能を禁止状態に遷移させるための禁止フラグと、禁止状態の放送受信機能を他の状態に遷移させるための解除フラグとをデジタル放送波に含める。そして放送装置は、このようなデジタル放送波を送出する。
【０１８５】
図１９は、本変形例に係る放送受信端末の構成を示すブロック図である。
本変形例に係る放送受信端末１００ｅは、表示部１２０と、第１処理部１１０ｅと、第２処理部１３０とを備える。
【０１８６】
第１処理部１１０ｅは、受信部１１１ｅと、状態管理部１１２ｅと、提示制御部１１３とを備える。
【０１８７】
受信部１１１ｅは、放送受信機能の起動によりデジタル放送波を受信すると、そのデジタル放送波に禁止フラグ又は解除フラグが含まれているか否かを判別する。含まれていると判別したときには、受信部１１１ｅは、禁止フラグ又は解除フラグが含まれていることを、状態管理部１１２ｅに通知する。
【０１８８】
状態管理部１１２ｅは、放送受信機能が通常提示状態であるときに、受信部１１１ｅから禁止フラグについての通知を受けると、第２処理部１３０が付属機能を起動しようとするのを禁止する。このように、デジタル放送波を受信してデジタル放送の番組内容を映し出しているときに、第２処理部１３０の付属機能の起動が禁止され、番組内容が継続して表示される状態を禁止状態という。
【０１８９】
一方、状態管理部１１２ｅは、受信部１１１ｅから禁止フラグについての通知を受けた後に解除フラグについての通知を受けると、上記第２処理部１３０に対する禁止を解く。
【０１９０】
図２０は、本変形例に係る放送受信端末１００ｅの放送受信機能の状態遷移図である。
放送受信端末１００ｅの放送受信機能の状態には、その機能に基づく動作が実行されていない停止状態Ｓｔ１１と、上述の通常提示状態Ｓｔ１２及びバックグラウンド状態Ｓｔ１３と、禁止状態Ｓｔ１４とがある。
【０１９１】
例えばＴＶボタンｂ１の選択により放送受信機能が起動すると、その状態は、停止状態Ｓｔ１１から通常提示状態Ｓｔ１２に遷移する。
【０１９２】
通常提示状態Ｓｔ１２は、例えばメニューボタンｂ２の選択によりメニューランチャー機能が起動すると、バックグラウンド状態Ｓｔ１３に遷移する。また、通常提示状態Ｓｔ１２は、例えばＴＶ終了ボタンｂ３の選択により放送受信機能が終了すると、停止状態Ｓｔ１１に戻る。さらに、通常提示状態Ｓｔ１２は、禁止フラグが取得されると禁止状態Ｓｔ１４に遷移する。
【０１９３】
禁止状態Ｓｔ１４は、解除フラグが取得されると通常提示状態Ｓｔ１２に遷移し、例えばＴＶ終了ボタンｂ３の選択により放送受信機能が終了すると、停止状態Ｓｔ１１に戻る。
【０１９４】
バックグラウンド状態Ｓｔ１３は、例えばメニュー終了ボタンｂ４の選択によりメニューランチャー機能が終了すると、通常提示状態Ｓｔ１２に遷移する。また、バックグラウンド状態Ｓｔ１３は、例えばＴＶ終了ボタンｂ３の選択により放送受信機能が終了すると、停止状態Ｓｔ１１に戻る。
【産業上の利用可能性】
【０１９５】
本発明の放送受信端末及び放送装置は、ユーザが自らの好む放送内容を見逃してしまうことなく省電力化の向上を図ることができるという効果を奏し、その放送受信端末は、例えば携帯電話機やＰＤＡ（Personal Digital Assistance）、デジタルカメラなどに適用することができる。
【図面の簡単な説明】
【０１９６】
【図１】図１は、本発明の実施の形態における放送システムの構成を示す構成図である。
【図２】図２は、同上の放送装置の構成を示すブロック図である。
【図３】図３は、同上のデジタル放送波の一部のデータ構造を示す図である。
【図４】図４は、同上の放送受信端末の構成を示すブロック図である。
【図５】図５は、同上の表示部の画面表示の一例を示す図である。
【図６】図６は、同上の放送受信端末の処理の流れを示すフロー図である。
【図７】図７は、同上の放送受信端末の放送受信機能の状態遷移図である。
【図８】図８は、同上の変形例１に係る放送受信端末の構成を示すブロック図である。
【図９】図９は、同上の変形例１に係る表示部とサブ表示部の表示画面の一例を示す図である。
【図１０】図１０は、同上の変形例１に係る放送受信端末の放送受信機能の状態遷移図である。
【図１１】図１１は、同上の変形例２に係る放送受信端末の構成を示すブロック図である。
【図１２】図１２は、同上の変形例２に係る表示部の画面表示の一例を示す図である。
【図１３】図１３は、同上の変形例２に係る放送受信端末の放送受信機能の状態遷移図である。
【図１４】図１４は、同上の変形例３に係る放送受信端末の構成を示すブロック図である。
【図１５】図１５は、同上の変形例３に係る放送受信端末のバックグラウンド状態における動作を示すフロー図である。
【図１６】図１６は、同上の変形例４に係る放送受信端末の構成を示すブロック図である。
【図１７】図１７は、同上の変形例４に係る放送受信端末の放送受信機能がバックグラウンド状態であるときの様子を説明するための説明図である。
【図１８】図１８は、同上の変形例５に係る放送受信機能がバックグラウンド状態にあるときの表示部の表示画面の一例を示す図である。
【図１９】図１９は、同上の変形例６に係る放送受信端末の構成を示すブロック図である。
【図２０】図２０は、同上の変形例６に係る放送受信端末の放送受信機能の状態遷移図である。
【符号の説明】
【０１９７】
１００    放送受信端末
１１０    第１処理部
１１１    受信部
１１２    状態管理部
１１３    提示制御部
１２０    表示部
１３０    第２処理部
２００    放送装置
２０１    ストリーム生成部
２０２    データカルーセル生成部
２０３    情報生成部
２０５    送信部
【図１】
0004597869.tif 000002
【図２】
0004597869.tif 000003
【図３】
0004597869.tif 000004
【図４】
0004597869.tif 000005
【図５】
0004597869.tif 000006
【図６】
0004597869.tif 000007
【図７】
0004597869.tif 000008
【図８】
0004597869.tif 000009
【図９】
0004597869.tif 000010
【図１０】
0004597869.tif 000011
【図１１】
0004597869.tif 000012
【図１２】
0004597869.tif 000013
【図１３】
0004597869.tif 000014
【図１４】
0004597869.tif 000015
【図１５】
0004597869.tif 000016
【図１６】
0004597869.tif 000017
【図１７】
0004597869.tif 000018
【図１８】
0004597869.tif 000019
【図１９】
0004597869.tif 000020
【図２０】
0004597869.tif 000021